(57)【要約】【課題】書込み電圧の上昇を抑制しながら書込み動作を安定かつ高速に行うことができ、高精細化も可能なプラズマディスプレイパネルを提供する。【解決手段】前面基板２１上に互いに平行に配置した走査電極２２および維持電極２３とを備え、背面基板３１上に走査電極２２と交差する方向に配置したデータ電極３２と、走査電極２２と平行に配置しかつデータ電極３２と電気的に絶縁されたプライミング電極３６と、データ電極３２上に配置しデータ電極３２と電気的に絶縁されたフローティング電極３７とを備えた。【選択図】図５
2005100737.tif 000002
【特許請求の範囲】
【請求項１】
第１の基板と、
前記第１の基板上にあって、互いに平行に配置した走査電極および維持電極と、
放電空間を挟んで前記第１の基板に対向配置される第２の基板と、
前記第２の基板上にあって、前記走査電極と交差する方向に配置したデータ電極と、
前記第２の基板上にあって、前記走査電極と平行に配置し、かつ前記データ電極と電気的に絶縁されたプライミング電極と、
前記第２の基板上にあって、前記データ電極上に配置し、前記データ電極と電気的に絶縁されたフローティング電極と
を備えたプラズマディスプレイパネル。
【請求項２】
前記走査電極および前記維持電極と前記データ電極とが対向する各々の放電空間に対応する各々のフローティング電極は互いに電気的に分離されて形成されていることを特徴とする請求項１に記載のプラズマディスプレイパネル。
【請求項３】
前記第２の基板上にあって、前記データ電極を覆うように形成した誘電体層を備え、
前記プライミング電極および前記フローティング電極は前記誘電体層上に配置された
ことを特徴とする請求項１または請求項２に記載のプラズマディスプレイパネル。
【請求項４】
前記フローティング電極の電極幅は前記データ電極の電極幅よりも広いことを特徴とする請求項１から請求項３のいずれかに記載のプラズマディスプレイパネル。
【請求項５】
前記フローティング電極は、放電空間を挟んで前記データ電極と前記走査電極とが対向する側のデータ電極上に設けられたことを特徴とする請求項１から請求項４のいずれかに記載のプラズマディスプレイパネル。
【発明の詳細な説明】
【技術分野】
【０００１】
本発明は、壁掛けテレビや大型モニター等に用いられるプラズマディスプレイパネルに関する。
【背景技術】
【０００２】
プラズマディスプレイパネル（以下、ＰＤＰあるいはパネルと略記する）は、大画面、薄型、軽量であることを特徴とする視認性に優れた表示デバイスである。ＰＤＰとして代表的な交流面放電型パネルは、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間を有する。
【０００４】
初期化期間では、すべての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、走査電極と維持電極との間に所定の回数の維持パルスを印加し、書込み放電による壁電荷形成を行った放電セルを選択的に放電させ発光させる。
【０００５】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【０００６】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足し放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００７】
これらの問題を解決するために、パネルの前面板に補助放電電極を設けて形成した補助放電セルを用いてプライミングを発生させ、放電遅れを小さくするパネルとその駆動方法が提案されている（たとえば特許文献１）。
【特許文献１】特開２００２−２９７０９１号公報
【発明の開示】
【発明が解決しようとする課題】
【０００８】
しかしながら上述のパネルにおいては、個々の補助放電セルが比較的大きいため、画像表示のための放電セル間の距離を縮めることができず、その結果、高精細化が困難であるという課題があった。
【０００９】
本発明は、上述した課題に鑑みなされたものであり、書込み動作を安定かつ高速に行うことができ、高精細化も可能なプラズマディスプレイパネルを提供することを目的とする。
【課題を解決するための手段】
【００１０】
本発明のプラズマディスプレイパネルは、第１の基板と、第１の基板上にあって互いに平行に配置した走査電極および維持電極と、放電空間を挟んで第１の基板に対向配置される第２の基板と、第２の基板上にあって走査電極と交差する方向に配置したデータ電極と、第２の基板上にあって走査電極と平行に配置しかつデータ電極と電気的に絶縁されたプライミング電極と、第２の基板上にあってデータ電極上に配置しデータ電極と電気的に絶縁されたフローティング電極とを備えたことを特徴とする。この構成によれば、小さな補助放電セルを構成することができるため、書込み動作を安定かつ高速に行うことができ、高精細化も可能なプラズマディスプレイパネルを提供することができる。加えて、フローティング電極を備えることにより、プライミング電極を第２の基板上に設けたことによる書込み電圧の上昇を抑えることができる。
【００１１】
また、走査電極および維持電極とデータ電極とが対向する各々の放電空間に対応する各々のフローティング電極は互いに電気的に分離されて形成されていてもよい。この構成によれば、隣接放電セルの影響を受けずに個々の放電セルを精度よく放電制御することができる。
【００１２】
また、第２の基板上にあってデータ電極を覆うように形成した誘電体層を備え、プライミング電極およびフローティング電極は誘電体層上に配置してもよい。この構成によれば、プライミング電極とフローティング電極とを同時に誘電体層上に配置することができるので、製造が容易となる。
【００１３】
また、フローティング電極の電極幅はデータ電極の電極幅よりも広くしてもよい。この構成によれば、プライミング電極を第２の基板上に設けたことによる書込み電圧の上昇を抑制する効果を大きくすることができる。
【００１４】
また、フローティング電極を、放電空間を挟んでデータ電極と走査電極とが対向する側のデータ電極上に設けてもよい。この構成によっても、プライミング電極を第２の基板上に設けたことによる書込み電圧の上昇を抑制する効果を大きくすることができる。
【発明の効果】
【００１５】
本発明によれば、書込み電圧の上昇を抑制しながら、書込み動作を安定かつ高速に行うことができ、高精細化も可能なプラズマディスプレイパネルを提供することができる。
【発明を実施するための最良の形態】
【００１６】
以下、本発明の実施の形態におけるプラズマディスプレイパネルについて、図面を用いて説明する。
【００１７】
（実施の形態）
図１は本発明の実施の形態におけるプラズマディスプレイパネルを示す断面図であり、図２は同パネルの構造を示す分解斜視図である。
【００１８】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００１９】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００２０】
背面基板３１上には、走査電極２２および維持電極２３と交差する方向にデータ電極３２が互いに平行に複数形成されている。そしてデータ電極３２を覆うように誘電体層３３ａが形成されている。誘電体層３３ａの上には走査電極２２と平行にプライミング電極３６が複数形成され、また、フローティング電極３７がデータ電極の上に形成された誘電体層３３ａ上に複数形成されている。誘電体層３３ａはデータ電極３２とプライミング電極３６との間、およびデータ電極３２とフローティング電極３７との間を絶縁している。
【００２１】
そして、プライミング電極３６およびフローティング電極３７を覆うように誘電体層３３ｂが形成され、さらにその上に放電セル４０を区画するための隔壁３４が形成されている。隔壁３４は、図２に示すように、データ電極３２と平行な方向に延びる縦壁部３４ａと、放電セル４０を形成しかつ放電セル４０の間に隙間部４１を形成する横壁部３４ｂとで構成されている。隙間部４１は一つおきにプライミング電極３６を有しプライミングセル４１ａを形成する。そして、隔壁３４により区画された放電セル４０に対応する誘電体層３３ｂの表面と隔壁３４の側面とに蛍光体層３５が設けられている。なお、図１では隙間部４１側に蛍光体層３５を形成していないが、蛍光体層を形成する構成としてもよい。
【００２２】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行にかつプライミングセル４１ａを挟んで対向するように位置合わせする。そして、前面基板２１側に形成された突出部分２２ｂ’と、背面基板３１側に形成されたプライミング電極３６との間でプライミング放電を行う構成となっている。
【００２３】
なお、図１、図２にはプライミング電極３６およびフローティング電極３７を覆うようにさらに誘電体層３３ｂが形成されているが、この誘電体層３３ｂは形成しなくてもよい。
【００２４】
図３は本発明の実施の形態におけるプラズマディスプレイパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態においては奇数行目の走査電極ＳＣ１、ＳＣ３、・・・の突出部分（図１の突出部分２２ｂ’）と対向するようにｎ／２本のプライミング電極ＰＲ１、ＰＲ３、・・・（図１のプライミング電極３６）が配列されている。
【００２５】
そして、一対の走査電極ＳＣｉ、維持電極ＳＵｉ（ｉ＝１〜ｎ）と一つのデータ電極Ｄｊ（ｊ＝１〜ｍ）とを含む放電セルＣｉ，ｊ（図１の放電セル４０）が放電空間内にｍ×ｎ個形成される。また１〜ｎ行のうちの奇数行に走査電極ＳＣｉの突出部分とプライミング電極ＰＲｉとを含むプライミングセルＰＳｉ（図１のプライミングセル４１ａ）が形成される。
【００２６】
次に、パネルを駆動するための駆動波形とそのタイミングについて説明する。
【００２７】
図４は、本発明の実施の形態におけるプラズマディスプレイパネルの駆動波形図である。なお、本発明の実施の形態においては、１フィールド期間が初期化期間、書込み期間、維持期間を有する複数のサブフィールドから構成されており、それぞれのサブフィールドは維持期間における維持パルスの数が異なる以外はほぼ同様であるので、一つのサブフィールドについてのみ動作を説明する。
【００２８】
初期化期間前半部では、データ電Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ一回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００２９】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ二回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００３０】
書込み期間では、走査電極ＳＣ１〜ＳＣｎを一旦電圧Ｖｃに保持する。そして、プライミング電極ＰＲ１〜ＰＲｎ−１に電圧Ｖｑを印加する。
【００３１】
まず、奇数行目の放電セルＣｐ，１〜Ｃｐ，ｍ（ｐ＝奇数）の書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加によりプライミング電極ＰＲｐと走査電極ＳＣｐとの間でプライミング放電が発生し、放電セルＣｐ，１〜Ｃｐ，ｍと放電セルＣｐ＋１，１〜Ｃｐ＋１，ｍとの内部にプライミングが供給される。このときの放電は、プライミングセルが放電しやすい構造であるため、放電遅れが小さく速い安定したプライミング放電となる。
【００３２】
その後引き続いて書込みパルス電圧を印加したデータ電極Ｄｋに対応する放電セルＣｐ，ｋで書込み放電が発生する。このとき、放電セルＣｐ，ｋの放電は走査電極ＳＣｐとプライミング電極ＰＲｐとの間で発生したプライミング放電からプライミングが供給されつつ発生するので放電遅れが小さく安定した放電となる。この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００３３】
次に、偶数行目の放電セルＣｐ＋１，１〜Ｃｐ＋１，ｍの書込み動作では、ｐ＋１行目の走査電極ＳＣｐ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣｐ＋１との交差部で放電が発生する。このとき、放電セルＣｐ＋１，ｋでは走査電極ＳＣｐとプライミング電極ＰＲｐとの間で発生したプライミング放電から十分なプライミングがすでに供給された状態で放電が発生するので、書込み放電の放電遅れは非常に小さく安定した放電となる。この書込み放電により放電セルＣｐ＋１，ｋの走査電極ＳＣｐ上部に正電圧が蓄積され、維持電極ＳＵｐ上部に負電圧が蓄積されて、偶数行目の書込み動作が終了する。
【００３４】
以下、同様の書込み動作をｎ行目の放電セルＣｎ，ｋに至るまで行い、書込み動作が終了する。
【００３５】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｋにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｋにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００３６】
このように、本発明の実施の形態では、奇数行目の放電セルＣｐ，１〜Ｃｐ，ｍ（ｐ＝奇数）の書込み動作において、背面基板（図１の背面基板３１）側に設けたプライミング電極ＰＲｐと前面基板（図１の前面基板２１）側に設けた走査電極ＳＣｐとの間でプライミング放電を発生させ、放電セルＣｐ，１〜Ｃｐ，ｍと放電セルＣｐ＋１，１〜Ｃｐ＋１，ｍとの内部にプライミングを供給することで、放電遅れが小さく、高速かつ安定した書込み放電を実現することができる。
【００３７】
図５は本発明の実施の形態における各電極の構成を模式的に示す斜視図である。なお、図５では位置関係および形状をわかりやすく示すために、電極以外の構成要素を省略している。
【００３８】
図５（ａ）に示すように、フローティング電極３７はデータ電極３２上に位置し、データ電極３２とは誘電体層３３ａ（図示せず）を隔てて電気的に絶縁されている。そして、放電空間を介して走査電極側の透明電極２２ａおよび維持電極側の透明電極２３ａと対向するように形成されている。プライミング電極３６は、データ電極３２との間に誘電体層３３ａを挟み、データ電極３２と直交する方向に形成されている。誘電体層３３ａは所定の厚みＷｔを有しており、データ電極３２とプライミング電極３６との間を絶縁している。このとき、誘電体層３３ａの厚みＷｔはプライミング電極３６とデータ電極３２との間を十分に絶縁するだけの厚みでなければならない。本発明の実施の形態においては、絶縁に必要な誘電体層３３ａの厚みＷｔを３０μｍとしている。したがって、データ電極３２の上に形成される誘電体層３３ａもほぼ同等の厚みＷｔを有しており、データ電極３２は少なくとも走査電極側の透明電極２２ａから放電空間を介してさらにＷｔ離れた位置に形成されることになる。
【００３９】
一方、放電開始電圧は電極間の間隔に依存して変化し、電極が離れるほど放電開始電圧は高くなる。すなわち、データ電極３２と走査電極側の透明電極２２ａとの間隔が離れると、書込み放電の放電開始電圧が高くなり、データ電極３２に印加する書込みパルス電圧を高くしなければならなくなる。書込みパルス電圧を高くすると、その分消費電力が増え、データ電極駆動回路の放熱の問題、あるいは最大定格が上がり集積化が困難になる等の問題が発生する。このような問題を避けるためにも、書込み電圧の上昇を抑える必要がある。
【００４０】
フローティング電極３７は書込み電圧の上昇を抑える目的で設けられたものであり、誘電体層３３ａ上に配置することにより、誘電体層３３ａ厚みＷｔによる書込み電圧の上昇を抑制しようとするものである。
【００４１】
ここで、フローティング電極３７を形成する位置は誘電体層３３上に限定されるものではないが、図１に示すようにフローティング電極３７を誘電体層３３ａ上に形成する場合には、プライミング電極３６と同じプロセスで同時に形成できるため、製造工程を増やすことなくフローティング電極３７を設けることができる。
【００４２】
なお、フローティング電極３７は誘電体層３３ａを挟んでデータ電極３２の上部に配置することにより書込み電圧の上昇を抑制する効果が得られるが、図５（ｂ）に示すように、フローティング電極３７の電極幅をデータ電極３２の電極幅よりも広くすることにより、書込み電圧抑制効果を大きくすることができる。
【００４３】
また、図５（ｃ）に示すように、放電空間を挟んでデータ電極３２と走査電極２２とが対向する側のデータ電極３２上の誘電体層３３ａ上にフローティング電極３７を設けてもよい。
【００４４】
以上説明したように、本発明のパネルにおける書込み放電は、従来のパネルにおける初期化放電のプライミングのみに依存した書込み放電とは異なり、各放電セルの書込み動作の直前に発生させたプライミング放電から十分なプライミングが供給された状態で行うものである。したがって、放電遅れが小さく、高速かつ安定した書込み放電を実現でき、品質の高い画像を表示することができる。加えて、フローティング電極を設けることにより、書込み電圧の上昇を抑制する効果が得られる。
【産業上の利用可能性】
【００４５】
本発明に係るプラズマディスプレイパネルは、書込み電圧の上昇を抑制しながら書込み動作を安定かつ高速に行うことができ、高精細化も可能なプラズマディスプレイパネルを提供することができるので、壁掛けテレビや大型モニター等に用いられるプラズマディスプレイパネル等に有用である。
【図面の簡単な説明】
【００４６】
【図１】本発明の実施の形態におけるプラズマディスプレイパネルを示す断面図
【図２】同パネルの構造を示す分解斜視図
【図３】同パネルの電極配列図
【図４】同パネルの駆動波形図
【図５】同パネルの各電極の構成を模式的に示す斜視図
【符号の説明】
【００４７】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３ａ，３３ｂ    誘電体層
３４    隔壁
３４ａ    縦壁部
３４ｂ    横壁部
３５    蛍光体層
３６    プライミング電極
３７    フローティング電極
４０    放電セル
４１    隙間部
４１ａ    プライミングセル
【図１】
2005100737.tif 000003
【図２】
2005100737.tif 000004
【図３】
2005100737.tif 000005
【図４】
2005100737.tif 000006
【図５】
2005100737.tif 000007